(57)【要約】  開閉装置が収納された本体部（１０）の後方に引き出された導体部（６）が接続された三相の受電引込ブッシング（１１）を有するブッシングタンク（１）を備え、三相の受電引込ブッシング（１１）は、ブッシングタンク（１）の上面部（１ａ）において周方向に等間隔に配置され、かつその先端部が互いに離れるように外側に傾斜するとともに、三相の受電引込ブッシング（１１）のうち１つは本体部（１０）の前後方向に沿って配置する。この構成により、受電引込ブッシング（１１）の先端部の絶縁距離の確保だけでなく、受電引込方向に依らず引込線間の絶縁距離を確保することが可能になる。
2020021769.tif 000002
【特許請求の範囲】
【請求項１】
開閉装置が収納された本体部と、
上記本体部から後方に引き出された導体部がそれぞれ接続された三相の受電引込ブッシングと、
上記三相の受電引込ブッシングが設けられ、絶縁性ガスが封入されたブッシングタンクと、を備え、
上記三相の受電引込ブッシングは、上記ブッシングタンクの上面において周方向に等間隔に配置され、かつその先端部が互いに離れるように外側に傾斜するとともに、上記三相の受電引込ブッシングのうち１つは上記本体部の前後方向に沿って配置されたガス絶縁スイッチギヤ。
【請求項２】
上記三相の受電引込ブッシングのうち１つは上記本体部の前後方向に沿って配置されるとともにその先端部が上記本体部の前方向に傾斜して配置された請求項１に記載のガス絶縁スイッチギヤ。
【請求項３】
上記三相の受電引込ブッシングはそれぞれ外側に垂直方向から３０〜６０度の範囲の等角度で傾斜している請求項１または請求項２に記載のガス絶縁スイッチギヤ。
【請求項４】
上記ブッシングタンクの上面部は上方に突出した半球状であり、上記半球状の部位に上記三相の受電引込ブッシングが設けられた請求項１から３のいずれか一項に記載のガス絶縁スイッチギヤ。
【請求項５】
上記本体部の後方に設けられ、絶縁性ガスが封入された容器内に上記本体部から延出された上記導体部が引き込まれ、上記導体部の端部が接続された接続部を有する中間タンクを備え、上記中間タンクの接続部と、上記ブッシングタンクに設けられた上記三相の受電引込ブッシングが接続された接続部とは、ケーブルで接続された請求項１から４のいずれか一項に記載のガス絶縁スイッチギヤ。
【請求項６】
上記中間タンクの接続部と、上記ブッシングタンクの接続部とは、開放された空間で上記ケーブルに接続された請求項５に記載のガス絶縁スイッチギヤ。
【請求項７】
上記本体部は筐体に収納され、上記中間タンクと上記ブッシングタンクとは、上記筐体の外部に配設された請求項６に記載のガス絶縁スイッチギヤ。
【発明の詳細な説明】
【技術分野】
【０００１】
本願は、ガス絶縁スイッチギヤに関するものである。
【背景技術】
【０００２】
変電所等に設置されるガス絶縁スイッチギヤは、遮断器、断路器等が収納され絶縁性ガスが充填された容器に、架空線受電部である三相のブッシングを取り付けた構造となっている。従来、三相のブッシング間の気中絶縁距離を確保するために、一列に並んだブッシングのうち中央のブッシングを高くし、両側のブッシングを傾けた構造であったが、ブッシング据付けを容易にするために、また耐震強度を高めるために、三相のすべてを垂直に配置、または少なくとも二相のブッシングを容器の側面に取り付けることが開示されている（特許文献１参照）。【０００３】
また、ブッシングの据付けを容易にするために、三相分のブッシングを容器に取付ける共通化した取付け部材を用い、三相のブッシングの絶縁距離を確保するために、ブッシングの先端部が互いに離間するようにブッシングを傾けた構造が開示されている（特許文献２参照）。
【先行技術文献】
【特許文献】
【０００４】
【特許文献１】実開昭５９−３０６１０号公報
【特許文献２】特開２０００−２３２７０７号公報
【発明の概要】
【発明が解決しようとする課題】
【０００５】
従来のガス絶縁スイッチギヤは、上述のように構成されており、例えば一列に並んだ三相のブッシングが受電引込方向に対向するように適切に設置されて、三相のブッシングの引込線間の絶縁距離が確保されていた。しかし、受電引込方向を変更すると、そのままのブッシングの配置では絶縁距離が確保できない場合もあり、架空線受電部の構造を変更する必要があった。そのため受電引込方向の変更が容易にできないという課題があった。
また、据え付ける場所にてガス絶縁スイッチギヤの向きが制約されるような場合にも、容器の設置向きと受電引込方向に応じたブッシングの構造設計をその都度行う必要があるという課題があった。【０００６】
本願は、上記のような課題を解決するための技術を開示するものであり、その目的は、受電引込方向に対し、構造変更すること無く柔軟に対応することが可能なブッシング配置を有するガス絶縁スイッチギヤを提供することである。
【課題を解決するための手段】
【０００７】
本願に開示されるガス絶縁スイッチギヤは、開閉装置が収納された本体部と、上記本体部から後方に引き出された導体部がそれぞれ接続された三相の受電引込ブッシングと、上記三相の受電引込ブッシングが設けられ、絶縁性ガスが封入されたブッシングタンクと、を備え、上記三相の受電引込ブッシングは、上記ブッシングタンクの上面において周方向に等間隔に配置され、かつその先端部が互いに離れるように外側に傾斜するとともに、上記三相の受電引込ブッシングのうち１つは上記本体部の前後方向に沿って配置されたものである。
【発明の効果】
【０００８】
本願に開示されるガス絶縁スイッチギヤによれば、三相の受電引込ブッシングを周方向に等間隔に配置し、かつその先端部が互いに離れるように外側に傾斜するとともに、三相のブッシングのうち１つは開閉装置が収納された本体部の前後方向に沿って配置したので、受電引込方向に依存することなく、絶縁距離を確保することが可能となり、ブッシングの構造変更が不要となる。
【図面の簡単な説明】
【０００９】
【図１】実施の形態１に係るガス絶縁スイッチギヤの側断面図である。
【図２】実施の形態１に係るガス絶縁スイッチギヤの上面図である。
【図３】図２において受電引込ブッシングの受電引込方向を示す図である。
【図４】実施の形態１に係る別のガス絶縁スイッチギヤの上面図で、受電引込ブッシングの受電引込方向を示す図である。
【図５】実施の形態１に係るさらに別のガス絶縁スイッチギヤの側断面図である。
【図６】図１のブッシングタンク部を切り離した図である。
【図７】実施の形態２に係るガス絶縁スイッチギヤの側断面図である。
【図８】実施の形態２に係るガス絶縁スイッチギヤの上面図である。
【図９】実施の形態２に係る別のガス絶縁スイッチギヤの上面図である。
【図１０】図７のブッシングタンク部を切り離した図である。
【図１１】実施の形態３に係るガス絶縁スイッチギヤの側断面図である。
【図１２】実施の形態３に係るガス絶縁スイッチギヤの上面図である。
【図１３】実施の形態３に係る別のガス絶縁スイッチギヤの上面図である。
【図１４】実施の形態４に係るガス絶縁スイッチギヤの上面図である。
【図１５】実施の形態４に係るガス絶縁スイッチギヤの上面図である。
【図１６】実施の形態４に係る別のガス絶縁スイッチギヤの上面図である。
【発明を実施するための形態】
【００１０】
以下、実施の形態について図を参照して説明する。なお、各図中、同一符号は、同一または相当部分を示すものとする。
【００１１】
実施の形態１．
図１は、実施の形態１に係るガス絶縁スイッチギヤの側断面図である。ガス絶縁スイッチギヤ１００は、筐体１２の内部にガス絶縁開閉装置（開閉装置）を収納した本体部１０を具備し、その本体部１０から引き出された導体部６が、ケーブル３を経由して外部から電力を受電する三相の受電引込ブッシング１１（１１ａ、１１ｂ、１１ｃを代表して説明する場合は１１とする）に接続されている。
【００１２】
ガス絶縁スイッチギヤ１００（Ｃ-ＧＩＳ：Cubicle type Gas Insulated Switchgear）は、電力の送配電および受電に関わる設備であり、例えば、変電所の設備として用いられる、架空線受電構造のものであり、筐体１２に収納された本体部１０（開閉装置）を主構成部としており、本体部１０の盤内に、図示しない遮断器、接地開閉器、断路器、避雷器、計器用変成器、計器用変流器、検電装置等が集約された構成となっている。
【００１３】
本体部１０の後方には三相スペーサ９を介して中間タンク７が設けられ、この中間タンク７の上方にはケーブル３の収納されたケーブル室５を介してブッシングタンク１が配設されている。なお、中間タンク７は架台８上に設置されている。
本体部１０から奥行側、後方に水平方向に引き出された３本（三相分）の導体部６は三相スペーサ９を介して中間タンク７内で垂直方向上方に向かって延伸し、ケーブル３を介して受電引込ブッシング１１に接続されている。
【００１４】
導体部６が受電引込ブッシング１１まで導かれる中間タンク７、ケーブル室５、ブッシングタンク１の３室の構成においては、中間タンク７とブッシングタンク１とに絶縁性ガスを封入すれば、ケーブル室５は絶縁性ガスを封入する必要はない。そのため、本構造では、絶縁性ガスが封入された中間タンク７の内側上部に接続部としてブッシング２２が設けられ、ブッシング２２を介して導体部６はケーブル３に接続されている。また、ブッシングタンク１の内側下部に接続部としてブッシング２１が設けられ、ブッシング２１を介してケーブル３が受電引込ブッシング１１に接続される。
【００１５】
ブッシングタンク１は絶縁性ガスが封止され、ブッシングタンク１の上面部１ａは、筐体１２の上面から突出する受電引込ブッシング１１を設けるための多面構造体を有する。多面構造体は、受電引込ブッシング１１が後述する所定の方向にかつ垂直方向から所定の角度θ外側に傾斜して設置されるようにブッシングタンク１の上部で所定の角度の面をもつように例えば平板が溶接されて形成される。
また、受電引込ブッシング１１は例えば導体の外周がエポキシ樹脂、シリコーンゴム等で被覆された絶縁構造を有するポリマーブッシングが用いられる。
【００１６】
ケーブル室５は上述したように、絶縁性ガスを封入する必要はないため、大気中あるいは開放された空間でケーブル３が収納でき、中間タンク７とブッシングタンク１とを支持できれば枠状の構造体であってもよい。また、ケーブル３の中間位置に変流器４（ＣＴ：Current transformer）を配置してもよい。
【００１７】
図２は、ガス絶縁スイッチギヤ１００の上面図である。図２では、筐体１２の内部も概要がわかるよう透視して示している。三相の受電引込ブッシング１１ａ、１１ｂ、１１ｃは、ブッシングタンク１の上面部１ａの多面構造体において、隣り合うブッシングの角度φが等角（ほぼ１２０度）となるように配置され、互いに離れるように上方先端部が外側に所定の角度で傾斜して配置される。三相のうち１つの受電引込ブッシング１１ｂはガス絶縁スイッチギヤ１００の本体部１０の前後方向に沿う方向で、前方に傾斜するように配置する。このように配置すると、残りの２つの受電引込ブッシング１１ｂ、１１ｃの筐体１２部から奥行方向、後方へのはみ出しが少なくなり、ガス絶縁スイッチギヤ１００の装置としても奥行方向の寸法が最も小さくなる。ガス絶縁スイッチギヤ１００の据付け場所に制限がある場合等に有利である。
【００１８】
図３は、図２に三相の受電引込ブッシング１１ａ、１１ｂ、１１ｃの受電引込方向を示した図で、送電線引込鉄塔との位置関係を示す。図には異なる方向に２つの送電線引込鉄塔１５Ａ、１５Ｂを配置した例を示している。
まず、送電線引込鉄塔１５Ａと三相の受電引込ブッシング１１ａ、１１ｂ、１１ｃとの関係を説明する。送電線引込鉄塔１５Ａの送電部１５Ａａと受電引込ブッシング１１ａの先端受電部とが引込線１６Ａａで接続され、送電部１５Ａｂと受電引込ブッシング１１ｂの先端受電部とが引込線１６Ａｂで接続され、送電部１５Ａｃと受電引込ブッシング１１ｃの先端受電部とが引込線１６Ａｃで接続されている。
この場合、引込線１６Ａａ、１６Ａｂ、１６Ａｃは、互いに絶縁距離を確保することが可能となっている。
【００１９】
次に、送電線引込鉄塔１５Ｂと三相の受電引込ブッシング１１ａ、１１ｂ、１１ｃとの関係を説明する。送電線引込鉄塔１５Ｂの送電部１５Ｂａと受電引込ブッシング１１ｂの先端受電部とが引込線１６Ｂａで接続され、送電部１５Ｂｂと受電引込ブッシング１１ａの先端受電部とが引込線１６Ｂｂで接続され、送電部１５Ｂｃと受電引込ブッシング１１ｃの先端受電部とが引込線１６Ｂｃで接続されている。
この場合も、引込線１６Ｂａ、１６Ｂｂ、１６Ｂｃは、互いに絶縁距離を確保することが可能となっている。
【００２０】
従来の三相が一列に並んでいる、あるいは三相が一列に並んで先端部のみ離間するように離した状態の受電引込ブッシングでは、ブッシングが並ぶ方向からの受電は引込線が３本とも近接することになり、絶縁距離の確保が困難であった。そのため、ガス絶縁スイッチギヤを９０度回転してブッシングの先端が送電部に対向する（受電引込方向に対向する）ように設置して、引込線間の絶縁距離を確保する必要があった。
しかし、本実施の形態では、受電引込ブッシング１１ａ、１１ｂ、１１ｃをブッシングタンク１の上部で周方向に１２０度等配となるように配置し、互いに外側に傾斜するように配置したので、ブッシングの先端部について三相が一列に並ぶことはない。三相の受電引込ブッシングはそのうちの二相を結ぶ方向でその延長上に送電部がある場合を除いては、引込線間の絶縁距離は確保可能となる。また、三相のうちの二相を結ぶ方向でその延長上に送電部がある場合においても、ガス絶縁スイッチギヤあるいは送電部を１０〜２０度程度回転させる等の調整を行えば、引込線間の絶縁距離は確保可能となる。
【００２１】
上述では、２つの異なる方向に送電線引込鉄塔がある、すなわち受電引込方向が異なる例について説明したが、本実施の形態では送電線引込鉄塔の位置に殆ど依存せず、あるいはガス絶縁スイッチギヤあるいは送電部を１０〜２０度程度回転させる程度で送電線引込鉄塔の位置に依存せず、引込線間の絶縁距離を確保して受電することが可能となる。据付けスペースに制限がある場所にガス絶縁スイッチギヤ１００を設置しても送電線引込鉄塔の方向に配慮することなく受電が可能となる。また、送電線引込鉄塔との位置関係が変更になる、すなわち受電引込方向が変更になる場合でも、引込線間の絶縁距離を確保して受電することが可能となる。
【００２２】
次に、受電引込ブッシング１１の垂直方向からの傾斜角度θについて説明する。
上述したとおり、三相の受電引込ブッシング１１ａ、１１ｂ、１１ｃは外側に互いに離れる方向に傾斜するほど、引込線間の絶縁距離の確保が容易となる。しかし、傾斜角度θが４５度を越えて９０度に近づくと、受電引込ブッシング１１ａ、１１ｂ、１１ｃと筐体１２の上面との絶縁距離の確保が必要となる。さらに、三相の受電引込ブッシング１１ａ、１１ｂ、１１ｃは外側に開くことになり、ガス絶縁スイッチギヤ１００の装置が大きくなってしまう。
【００２３】
一方、傾斜角度θを小さくすると、受電引込ブッシング１１ａ、１１ｂ、１１ｃと筐体１２の上面との絶縁距離の確保が容易となり、ガス絶縁スイッチギヤ１００の装置のサイズも抑制される。しかし、送電線引込鉄塔との位置関係によっては引込線間の絶縁距離の確保が難しい、あるいは送電線引込鉄塔との位置関係を考慮したガス絶縁スイッチギヤ１００の据付けが必要となる。
そのため、傾斜角度θは３０〜６０度の範囲が望ましく、図１に示されるような４５度程度（４５±５度、すなわち４０〜５０度）が最も好ましい形態である。また、三相の受電引込ブッシング１１ａ、１１ｂ、１１ｃ共に、等角の傾斜角度であることが望ましい。
【００２４】
図４は、実施の形態１に係る別のガス絶縁スイッチギヤの上面図で、受電引込ブッシング１１ａ、１１ｂ、１１ｃの受電引込方向を示す図である。図３と同様、三相の受電引込ブッシング１１ａ、１１ｂ、１１ｃは、ブッシングタンク１の上面部１ａの多面構造体において、等角（ほぼ１２０度）となるように配置され、互いに離れるように上方先端部が外側に傾斜して配置される。図３と異なるのは、三相のうち１つの受電引込ブッシング１１ｂはガス絶縁スイッチギヤ１００の本体部１０の前後方向に沿う方向で、後方向に傾斜するように配置していることである。このように配置すると、筐体１２の上部に設置物がなくなり、装置のメンテナンス時に上面も作業可能となり至便である。
【００２５】
図３の場合と同様に、送電線引込鉄塔１５Ａの位置からの受電について、引込線１６Ａａ、１６Ａｂ、１６Ａｃは、互いに絶縁距離を確保することが可能となっており、送電線引込鉄塔１５Ｂの位置からの受電についても、引込線１６Ｂａ、１６Ｂｂ、１６Ｂｃは、互いに絶縁距離を確保することが可能となっている。すなわち、図３と同様の効果を得ることが可能である。
【００２６】
なお、導体部６が受電引込ブッシング１１まで導かれる中間タンク７、ケーブル室５、ブッシングタンク１の３室の構成は、これに限るものではない。これらを一体化して絶縁性ガスが封入されていてもよい。また、例えば、ケーブル室５とブッシングタンク１とを一体化し、２室の構成としてもよいし、中間タンク７とケーブル室５とを一体化して２室の構成としてもよい。
図５は、実施の形態１に係るさらに別のガス絶縁スイッチギヤ１００の側断面図である。ケーブル室をなくした構造の例である。本体部１０から引き出された導体部６は中間タンク７内で上方に延伸され、中間タンク７の上部で接続部であるブッシング２２を介してブッシングタンク１内のブッシング２１に接続される。このように、導体部６が受電引込ブッシング１１まで導かれる構成は変更してもよい。
【００２７】
少なくとも、ケーブル室５を大気中あるいは開放空間とし、ブッシングタンク１とケーブル室５とを分離できるように構成すれば、ブッシングタンク１のブッシング２２に対しケーブル３を着脱させる作業が開放空間における作業となる。そのため、図６に示すように、筐体１２から突出した部分を分離して輸送することが可能となる。
【００２８】
以上の通り、実施の形態１によれば、三相の各受電引込ブッシング１１ａ、１１ｂ、１１ｃの先端部の絶縁距離の確保だけでなく、受電引込方向に依らず引込線間の絶縁距離を確保することが可能となる。すなわち、受電引込方向毎に構造変更しなくてもよい、汎用性のあるガス絶縁スイッチギヤ１００の装置の提供が可能となる。さらに、品質の向上、信頼性の向上、コスト低減に繋がる。
【００２９】
実施の形態２．
上記実施の形態１では、ブッシングタンク１の上面部１ａが多面構造体の例を説明したが、本実施の形態２では半球状の構造体の例について説明する。
図７は、実施の形態２に係るガス絶縁スイッチギヤ１００の側面図である。図において、実施の形態１の図１と異なるのは、ブッシングタンク１の上面部１ａが半球状の構造体で形成されていることである。その他は実施の形態１の図１と同様のため、説明を省略する。
半球状の構造体で形成されたブッシングタンク１の上面部１ａは、受電引込ブッシング１１が上記実施の形態１で説明した所定の方向にかつ垂直方向から所定の角度θ外側に傾斜して設置されている。この半球状の構造体は、例えば金型による鋳造で精度よく製造することができる。
【００３０】
ブッシングタンク１の上面部１ａを半球状の構造体にすることで、多面構造体よりも受電引込ブッシング１１を所定の配置に所定の角度で配設することが容易となり、高精度に製造することが可能となる。また、平板の溶接等で製造するよりも肉厚の構造が可能となり強度も高くなる。
【００３１】
図８は、図７のガス絶縁スイッチギヤ１００の上面図である。図２と同様、三相の受電引込ブッシング１１ａ、１１ｂ、１１ｃは、ブッシングタンク１の上面部１ａの半球状の構造体において、隣り合うブッシングの角度φが等角（ほぼ１２０度）となるように配置され、互いに離れるように上方先端部が外側に傾斜して配置される。三相のうち１つの受電引込ブッシング１１ｂはガス絶縁スイッチギヤ１００の本体部１０の前後方向に沿う方向で、前方に傾斜するように配置されている。
【００３２】
図９は、実施の形態２に係る別のガス絶縁スイッチギヤの上面図で、受電引込ブッシング１１ａ、１１ｂ、１１ｃの受電引込方向を示す図である。図８と同様、三相の受電引込ブッシング１１ａ、１１ｂ、１１ｃは、ブッシングタンク１の上面部１ａの半球状の構造体において、等角（ほぼ１２０度）となるように配置され、互いに離れるように上方先端部が外側に傾斜して配置される。図８と異なるのは、三相のうち１つの受電引込ブッシング１１ｂはガス絶縁スイッチギヤ１００の本体部１０の前後方向に沿う方向で、後方向に傾斜するように配置していることである。図４のブッシングタンク１の上面部１ａを半球状の構造体にしたものに相当する。
【００３３】
図１０は、図７のブッシングタンク１の側断面図で、ケーブル室５から切り離した状態を示す図である。導体部６が受電引込ブッシング１１まで導かれる中間タンク７、ケーブル室５、ブッシングタンク１の３室の構成は、これに限るものではない。しかし、実施の形態１の図６で説明したように、少なくともケーブル室５を大気中あるいは開放空間とし、ブッシングタンク１とケーブル室５とを分離できるように構成すれば、ブッシングタンク１のブッシング２２に対しケーブル３を着脱させる作業が開放空間における作業となる。そのため、筐体１２から突出した部分を分離して輸送することが可能となる。
【００３４】
以上の通り実施の形態２によれば、実施の形態１と同様、三相の各受電引込ブッシング１１ａ、１１ｂ、１１ｃの先端部の絶縁距離の確保だけでなく、受電引込方向に依らず引込線間の絶縁距離を確保することが可能となる。すなわち、受電引込方向毎に構造変更しなくてもよい、汎用性のあるガス絶縁スイッチギヤ１００の装置の提供が可能となる。また、品質の向上、信頼性の向上、コスト低減に繋がる。さらに、ブッシングタンク１の上面部１ａを半球状の構造体で形成しているので、高精度かつ高強度にブッシングタンクを製造することが可能となる。
【００３５】
実施の形態３．
上記実施の形態１、２では、本体部１０から引き出された導体部６が受電引込ブッシング１１まで導かれる中間タンク７、ケーブル室５及びブッシングタンク１が筐体１２に収納された例を示したが、これらが筐体の外部で連結されていてもよい。
図１１は、実施の形態３に係るガス絶縁スイッチギヤ１００の側面図である。図において、実施の形態１の図１と異なるのは、本体部１０の後方部に配置されるものは筐体１２の外部に配設されることである。すなわち、三相スペーサ９を介して絶縁性ガスが封入された中間タンク７が設けられ、この中間タンク７の上方にはケーブル３の収納されたケーブル室５を介して絶縁性ガスが封入されたブッシングタンク１が配設されているが、これらは筐体１２の外部に配置される。なお、中間タンク７は架台８上に設置されている。
その他は実施の形態１の図１と同様のため、説明を省略する。
【００３６】
なお、導体部６が受電引込ブッシング１１まで導かれる中間タンク７、ケーブル室５、ブッシングタンク１の３室の構成は、これに限るものではない。これら一体化して絶縁性ガスが封入されていてもよい。また、例えば、ケーブル室５とブッシングタンク１とを一体化し、２室の構成としてもよいし、中間タンク７とケーブル室５とを一体化して２室の構成としてもよい。
少なくとも、ケーブル室５を大気中あるいは開放空間とし、ブッシングタンク１とケーブル室５とを分離できるように構成すれば、ブッシングタンク１のブッシング２２に対しケーブル３を着脱させる作業が開放空間における作業となる。そのため、実施の形態１の図６に示すように、筐体１２から突出した部分を分離して輸送することが可能となる。
【００３７】
図１２は、図１１のガス絶縁スイッチギヤ１００の上面図である。図２と同様、三相の受電引込ブッシング１１ａ、１１ｂ、１１ｃは、ブッシングタンク１の上面部１ａの多面構造体において、隣り合うブッシングの角度φが等角（ほぼ１２０度）となるように配置され、その先端部が互いに離れるように上方先端部が外側に所定の角度θで傾斜して配置される。三相のうち１つの受電引込ブッシング１１ｂはガス絶縁スイッチギヤ１００の本体部１０の前後方向に沿う方向で、前方向に傾斜するように配置されている。
【００３８】
図１３は、実施の形態３に係る別のガス絶縁スイッチギヤの上面図で、受電引込ブッシング１１ａ、１１ｂ、１１ｃの受電引込方向を示す図である。図１２と同様、３相の受電引込ブッシング１１ａ、１１ｂ、１１ｃは、ブッシングタンク１の上面部１ａの多面構造体において、等角（ほぼ１２０度）となるように配置され、その先端部が互いに離れるように上方先端部が外側に所定の角度θで傾斜して配置される。図１２と異なるのは、三相のうち１つの受電引込ブッシング１１ｂはガス絶縁スイッチギヤ１００の本体部１０の前後方向に沿う方向で、後方向に傾斜するように配置していることである。図４のブッシングタンク１等が筐体１２の外部に配設されたものに相当する。
【００３９】
以上の通り実施の形態３によれば、実施の形態１と同様、三相の各受電引込ブッシング１１ａ、１１ｂ、１１ｃの先端部の絶縁距離の確保だけでなく、受電引込方向に依らず引込線間の絶縁距離を確保することが可能となる。すなわち、受電引込方向毎に構造変更しなくてもよい、汎用性のあるガス絶縁スイッチギヤ１００の装置の提供が可能となる。また、品質の向上、信頼性の向上、コスト低減に繋がる。
【００４０】
さらに、ケーブル室を大気中あるいは開放空間にすることで、三相の各受電引込ブッシング１１が搭載されたブッシングタンク１をそれに連結するケーブル室から分離して輸送可能となるだけでなく、筐体１２の本体部１０から延伸された導体部６を収納した中間タンク７及びケーブル室５も筐体１２の外部にあるので、輸送後に再組立する作業性もよくなる。
【００４１】
実施の形態４．
実施の形態４では、実施の形態２と同様にブッシングタンク１の上面部１ａが半球状の構造体で形成された例について説明する。
図１４は、実施の形態４に係るガス絶縁スイッチギヤ１００の側面図である。図において、実施の形態３と異なるのは、ブッシングタンク１の上面部１ａが半球状の構造体で形成されていることである。その他は実施の形態３と同様のため、説明を省略する。
半球状の構造体で形成されたブッシングタンク１の上面部１ａは、受電引込ブッシング１１が上述した所定の方向にかつ垂直方向から所定の角度θ外側に傾斜して設置されている。この半球状の構造体は、例えば金型による鋳造で精度よく製造することができる。
【００４２】
ブッシングタンク１の上面部１ａを鋳造により半球状の構造体にすることで、多面構造体よりも受電引込ブッシング１１を所定の配置に所定の角度で配設することが容易となり、高精度に製造することが可能となる。また、半球状の構造体とすることで、多面構造体よりも耐圧構造が優位であり、構造体を薄肉にして軽量化を図ることができる。
【００４３】
図１５は、図１４のガス絶縁スイッチギヤ１００の上面図である。図１２と同様、三相の受電引込ブッシング１１ａ、１１ｂ、１１ｃは、ブッシングタンク１の上面部１ａの半球状の構造体において、隣り合うブッシングの角度φが等角（ほぼ１２０度）となるように配置され、互いに離れるように上方先端部が外側に所定の角度θで傾斜して配置される。三相のうち１つの受電引込ブッシング１１ｂはガス絶縁スイッチギヤ１００の本体部１０の前後方向に沿う方向で、前方向に傾斜するように配置されている。
【００４４】
図１６は、実施の形態４に係る別のガス絶縁スイッチギヤの上面図で、受電引込ブッシング１１ａ、１１ｂ、１１ｃの受電引込方向を示す図である。図１５と同様、三相の受電引込ブッシング１１ａ、１１ｂ、１１ｃは、ブッシングタンク１の上面部１ａの半球状の構造体において、等角（ほぼ１２０度）となるように配置され、互いに離れるように上方先端部が外側に所定の角度θで傾斜して配置される。図１５と異なるのは、三相のうち１つの受電引込ブッシング１１ｂはガス絶縁スイッチギヤ１００の本体部１０の前後方向に沿う方向で、後方向に傾斜するように配置していることである。また、図１３のブッシングタンク１の上面部１ａを半球状の構造体にしたものに相当する。
【００４５】
以上の通り実施の形態４によれば、実施の形態１から３と同様の効果を奏する。すなわち、三相の各受電引込ブッシング１１ａ、１１ｂ、１１ｃの先端部の絶縁距離の確保だけでなく、受電引込方向に依らず引込線間の絶縁距離を確保することが可能となる。受電引込方向毎に構造変更しなくてもよい、汎用性のあるガス絶縁スイッチギヤ１００の装置の提供が可能となる。また、品質の向上、信頼性の向上、コスト低減に繋がる。さらに、ブッシングタンク１の上面部１ａを半球状の構造体で形成しているので、高精度かつ高強度にブッシングタンクを製造することが可能となる。
【００４６】
さらに、ケーブル室５を大気中あるいは開放空間にすることで、三相の各受電引込ブッシング１１の搭載されたブッシングタンク１をそれに連結するケーブル室から分離して輸送可能となるだけでなく、筐体１２の本体部１０から延伸された導体部６を収納した中間タンク７及びケーブル室５も筐体１２の外部にあるので、輸送後に再組立する作業性もよくなる。
【００４７】
本願は、様々な例示的な実施の形態及び実施例が記載されているが、１つ、または複数の実施の形態に記載された様々な特徴、態様、及び機能は特定の実施の形態の適用に限られるのではなく、単独で、または様々な組み合わせで実施の形態に適用可能である。
従って、例示されていない無数の変形例が、本願明細書に開示される技術の範囲内において想定される。例えば、少なくとも１つの構成要素を変形する場合、追加する場合または省略する場合、さらには、少なくとも１つの構成要素を抽出し、他の実施の形態の構成要素と組み合わせる場合が含まれるものとする。
【符号の説明】
【００４８】
１  ブッシングタンク、  １ａ  上面部、  ３  ケーブル、  ４  変流器、  ５  ケーブル室、  ６  導体部、  ７  中間タンク、  ８  架台、  ９  三相スペーサ、  １０  本体部、  １１、１１ａ、１１ｂ、１１ｃ  受電引込ブッシング、  １２  筐体、  １５Ａ  送電線引込鉄塔、  １５Ａａ、１５Ａｂ、１５Ａｃ  送電部、  １５Ｂ  送電線引込鉄塔、  １５Ｂａ、１５Ｂｂ、１５Ｂｃ  送電部、  １６Ａａ、１６Ａｂ、１６Ａｃ、１６Ｂａ、１６Ｂｂ、１６Ｂｃ  引込線、  ２１、２２  ブッシング、  １００  ガス絶縁スイッチギヤ。
【図１】
2020021769.tif 000003
【図２】
2020021769.tif 000004
【図３】
2020021769.tif 000005
【図４】
2020021769.tif 000006
【図５】
2020021769.tif 000007
【図６】
2020021769.tif 000008
【図７】
2020021769.tif 000009
【図８】
2020021769.tif 000010
【図９】
2020021769.tif 000011
【図１０】
2020021769.tif 000012
【図１１】
2020021769.tif 000013
【図１２】
2020021769.tif 000014
【図１３】
2020021769.tif 000015
【図１４】
2020021769.tif 000016
【図１５】
2020021769.tif 000017
【図１６】
2020021769.tif 000018
【手続補正書】
【提出日】令和1年8月6日(2019.8.6)
【手続補正１】
【補正対象書類名】特許請求の範囲
【補正対象項目名】全文
【補正方法】変更
【補正の内容】
【特許請求の範囲】
【請求項１】
開閉装置が収納された本体部と、
上記本体部から後方に引き出された導体部がそれぞれ接続された三相の受電引込ブッシングと、
上記三相の受電引込ブッシングが設けられ、絶縁性ガスが封入されたブッシングタンクと、を備え、
上記三相の受電引込ブッシングは、上記ブッシングタンクの上面において周方向に等間隔に配置され、かつその先端部が互いに離れるように外側に傾斜するとともに、上記三相の受電引込ブッシングのうち１つは上記本体部の前後方向に沿って配置されるとともにその先端部が上記本体部の前方向に傾斜して配置されたガス絶縁スイッチギヤ。
【請求項２】
上記三相の受電引込ブッシングはそれぞれ外側に垂直方向から３０〜６０度の範囲の等角度で傾斜している請求項１に記載のガス絶縁スイッチギヤ。
【請求項３】
上記ブッシングタンクの上面部は上方に突出した半球状であり、上記半球状の部位に上記三相の受電引込ブッシングが設けられた請求項１または２に記載のガス絶縁スイッチギヤ。
【請求項４】
上記本体部の後方に設けられ、絶縁性ガスが封入された容器内に上記本体部から延出された上記導体部が引き込まれ、上記導体部の端部が接続された接続部を有する中間タンクを備え、上記中間タンクの接続部と、上記ブッシングタンクに設けられた上記三相の受電引込ブッシングが接続された接続部とは、ケーブルで接続された請求項１から３のいずれか一項に記載のガス絶縁スイッチギヤ。
【請求項５】
上記中間タンクの接続部と、上記ブッシングタンクの接続部とは、開放された空間で上記ケーブルに接続された請求項４に記載のガス絶縁スイッチギヤ。
【請求項６】
上記本体部は筐体に収納され、上記中間タンクと上記ブッシングタンクとは、上記筐体の外部に配設された請求項５に記載のガス絶縁スイッチギヤ。
【請求項７】
開閉装置が収納された本体部と、
上記本体部から後方に引き出された導体部がそれぞれ接続された三相の受電引込ブッシングと、
上記三相の受電引込ブッシングが設けられ、絶縁性ガスが封入されたブッシングタンクと、を備え、
上記ブッシングタンクの上面部は上方に突出した半球状であり、上記半球状の部位に上記三相の受電引込ブッシングが設けられ、
上記三相の受電引込ブッシングは、上記ブッシングタンクの上面において周方向に等間隔に配置され、かつその先端部が互いに離れるように外側に傾斜するとともに、上記三相の受電引込ブッシングのうち１つは上記本体部の前後方向に沿って配置されたガス絶縁スイッチギヤ。
【請求項８】
開閉装置が収納された本体部と、
上記本体部から後方に引き出された導体部がそれぞれ接続された三相の受電引込ブッシングと、
上記三相の受電引込ブッシングが設けられ、絶縁性ガスが封入されたブッシングタンクと、
上記本体部の後方に設けられ、絶縁性ガスが封入された容器内に上記本体部から延出された上記導体部が引き込まれ、上記導体部の端部が接続された接続部を有する中間タンクと、を備え、
上記三相の受電引込ブッシングは、上記ブッシングタンクの上面において周方向に等間隔に配置され、かつその先端部が互いに離れるように外側に傾斜するとともに、上記三相の受電引込ブッシングのうち１つは上記本体部の前後方向に沿って配置され、
上記中間タンクの接続部と、上記ブッシングタンクに設けられた上記三相の受電引込ブッシングが接続された接続部とは、ケーブルで接続されたガス絶縁スイッチギヤ。
【請求項９】
上記中間タンクの接続部と、上記ブッシングタンクの接続部とは、開放された空間で上記ケーブルに接続された請求項８に記載のガス絶縁スイッチギヤ。
【請求項１０】
上記本体部は筐体に収納され、上記中間タンクと上記ブッシングタンクとは、上記筐体の外部に配設された請求項９に記載のガス絶縁スイッチギヤ。
【手続補正２】
【補正対象書類名】明細書
【補正対象項目名】０００７
【補正方法】変更
【補正の内容】
【０００７】
本願に開示されるガス絶縁スイッチギヤは、開閉装置が収納された本体部と、上記本体部から後方に引き出された導体部がそれぞれ接続された三相の受電引込ブッシングと、上記三相の受電引込ブッシングが設けられ、絶縁性ガスが封入されたブッシングタンクと、を備え、上記三相の受電引込ブッシングは、上記ブッシングタンクの上面において周方向に等間隔に配置され、かつその先端部が互いに離れるように外側に傾斜するとともに、上記三相の受電引込ブッシングのうち１つは上記本体部の前後方向に沿って配置されるとともにその先端部が上記本体部の前方向に傾斜して配置されたものである。
【手続補正書】
【提出日】令和2年1月17日(2020.1.17)
【手続補正１】
【補正対象書類名】特許請求の範囲
【補正対象項目名】全文
【補正方法】変更
【補正の内容】
【特許請求の範囲】
【請求項１】
開閉装置が収納された本体部と、
上記本体部から後方に引き出された導体部がそれぞれ接続された三相の受電引込ブッシングと、
上記三相の受電引込ブッシングが設けられ、絶縁性ガスが封入されたブッシングタンクと、を備え、
上記ブッシングタンクの上面部は上方に突出した半球状であり、上記半球状の部位に上記三相の受電引込ブッシングが設けられ、
上記三相の受電引込ブッシングは、上記ブッシングタンクの上面において周方向に等間隔に配置され、かつその先端部が互いに離れるように外側に傾斜するとともに、上記三相の受電引込ブッシングのうち１つは上記本体部の前後方向に沿って配置されたガス絶縁スイッチギヤ。
【請求項２】
開閉装置が収納された本体部と、
上記本体部から後方に引き出された導体部がそれぞれ接続された三相の受電引込ブッシングと、
上記三相の受電引込ブッシングが設けられ、絶縁性ガスが封入されたブッシングタンクと、
上記本体部の後方に設けられ、絶縁性ガスが封入された容器内に上記本体部から延出された上記導体部が引き込まれ、上記導体部の端部が接続された接続部を有する中間タンクと、を備え、
上記三相の受電引込ブッシングは、上記ブッシングタンクの上面において周方向に等間隔に配置され、かつその先端部が互いに離れるように外側に傾斜するとともに、上記三相の受電引込ブッシングのうち１つは上記本体部の前後方向に沿って配置され、
上記中間タンクの接続部と、上記ブッシングタンクに設けられた上記三相の受電引込ブッシングが接続された接続部とは、ケーブルで接続されたガス絶縁スイッチギヤ。
【請求項３】
上記中間タンクの接続部と、上記ブッシングタンクの接続部とは、開放された空間で上記ケーブルに接続された請求項２に記載のガス絶縁スイッチギヤ。
【請求項４】
上記本体部は筐体に収納され、上記中間タンクと上記ブッシングタンクとは、上記筐体の外部に配設された請求項３に記載のガス絶縁スイッチギヤ。
【請求項５】
開閉装置が収納された本体部と、
上記本体部から後方に引き出された導体部がそれぞれ接続された三相の受電引込ブッシングと、
上記三相の受電引込ブッシングが設けられ、絶縁性ガスが封入されたブッシングタンクと、を備え、
上記ブッシングタンクの上面部は上記本体部の上面から突出し、上記三相の受電引込ブッシングが所定の方向にかつ垂直方向から所定の角度外側に傾斜して設置されるように上記ブッシングタンクの上部で所定の角度の面をもつ多面構造体として構成されており、
上記三相の受電引込ブッシングは、上記ブッシングタンクの上面において周方向に等間隔に配置され、かつその先端部が互いに離れるように外側に傾斜するとともに、上記三相の受電引込ブッシングのうち１つは上記本体部の前後方向に沿って配置されたガス絶縁スイッチギヤ。
【請求項６】
上記三相の受電引込ブッシングはそれぞれ外側に垂直方向から３０〜６０度の範囲の等角度で傾斜している請求項１から５のいずれか一項に記載のガス絶縁スイッチギヤ。
【手続補正２】
【補正対象書類名】明細書
【補正対象項目名】０００７
【補正方法】変更
【補正の内容】
【０００７】
本願に開示されるガス絶縁スイッチギヤは、開閉装置が収納された本体部と、上記本体部から後方に引き出された導体部がそれぞれ接続された三相の受電引込ブッシングと、上記三相の受電引込ブッシングが設けられ、絶縁性ガスが封入されたブッシングタンクと、を備え、上記ブッシングタンクの上面部は上方に突出した半球状であり、上記半球状の部位に上記三相の受電引込ブッシングが設けられ、上記三相の受電引込ブッシングは、上記ブッシングタンクの上面において周方向に等間隔に配置され、かつその先端部が互いに離れるように外側に傾斜するとともに、上記三相の受電引込ブッシングのうち１つは上記本体部の前後方向に沿って配置されたものである。
【手続補正書】
【提出日】令和2年4月28日(2020.4.28)
【手続補正１】
【補正対象書類名】特許請求の範囲
【補正対象項目名】全文
【補正方法】変更
【補正の内容】
【特許請求の範囲】
【請求項１】
開閉装置が収納された本体部と、
上記本体部から後方に引き出された導体部がそれぞれ接続された三相の受電引込ブッシングと、
上記三相の受電引込ブッシングが設けられ、絶縁性ガスが封入されたブッシングタンクと、を備え、
上記ブッシングタンクの上面部は上方に突出した半球状であり、上記半球状の部位に上記三相の受電引込ブッシングが設けられ、
上記三相の受電引込ブッシングは、上記ブッシングタンクの上面において周方向に等間隔に配置され、かつその先端部が互いに離れるように外側に傾斜するとともに、上記三相の受電引込ブッシングのうち１つは上記本体部の前後方向に沿って配置されたガス絶縁スイッチギヤ。
【請求項２】
開閉装置が収納された本体部と、
上記本体部から後方に引き出された導体部がそれぞれ接続された三相の受電引込ブッシングと、
上記三相の受電引込ブッシングが設けられ、絶縁性ガスが封入されたブッシングタンクと、
上記本体部の後方に設けられ、絶縁性ガスが封入された容器内に上記本体部から延出された上記導体部が引き込まれ、上記導体部の端部が接続された接続部を有する中間タンクと、を備え、
上記三相の受電引込ブッシングは、上記ブッシングタンクの上面において周方向に等間隔に配置され、かつその先端部が互いに離れるように外側に傾斜するとともに、上記三相の受電引込ブッシングのうち１つは上記本体部の前後方向に沿って配置され、
上記中間タンクの接続部と、上記ブッシングタンクに設けられた上記三相の受電引込ブッシングが接続された接続部とは、ケーブルで接続されたガス絶縁スイッチギヤ。
【請求項３】
上記中間タンクの接続部と、上記ブッシングタンクの接続部とは、開放された空間で上記ケーブルに接続された請求項２に記載のガス絶縁スイッチギヤ。
【請求項４】
上記本体部は筐体に収納され、上記中間タンクと上記ブッシングタンクとは、上記筐体の外部に配設された請求項３に記載のガス絶縁スイッチギヤ。
【請求項５】
上記三相の受電引込ブッシングはそれぞれ外側に垂直方向から３０〜６０度の範囲の等角度で傾斜している請求項１から４のいずれか一項に記載のガス絶縁スイッチギヤ。
【国際調査報告】
2020021769.tif 000019
2020021769.tif 000020
2020021769.tif 000021
2020021769.tif 000022